(57)【要約】      （修正有）【課題】  キャップ開封時に軽い回転トルクで注出口を開口できるようにして、老人、身障者等の力の無い使用者にとって親切で構造簡単で廉価な液体用容器のキャップ構造を提供する。【解決手段】  キャップの内面または内蓋にキャップを螺嵌で開封する時に互いに掛合する掛合部３、被掛合部４のどちらか一方を設けて、その開封時に前記掛合部３と被掛合部４が複数箇所で相互に掛止してキャップと共に回転しながら上昇する掛止部６を構成するようになし、前記内蓋に設けた掛合部３または被掛合部４に連なってその内蓋３２に、キャップ開封時の回転方向と同方向またはその回転方向とほぼ同方向を向く薄肉部１５１、１５１で挟まれた円弧状の帯状部分１５を始端とする切取用脆弱部５を設け、キャップ回転初期時の軽い回転トルクで円弧状帯状部分１５を挟む薄肉部１５１、１５１を破断し、それを起点にして切取用脆弱部５を切取る。【選択図】図５
2005059933.tif 000002
【特許請求の範囲】
【請求項１】
キャップの内面または内蓋上面にキャップを螺嵌で開封する時に互いに掛合する掛合部、被掛合部のどちらか一方を設けて、その開封時に前記掛合部と被掛合部が複数箇所で相互に掛止してキャップと共に回転しながら上昇する掛止部を構成するようになし、前記内蓋に設けた掛合部または被掛合部に連なってその内蓋に、キャップ開封時の回転方向と同方向またはその回転方向とほぼ同方向を向く薄肉部で挟まれた帯状部分を始端とする切取用脆弱部を設けていることを特徴とする液体用容器のキャップ構造。
【請求項２】
前記掛合部と被掛合部とは、キャップ内面、内蓋上面のどちらか一方にキャップ螺嵌中心を中心とする半径位置を僅かズラして突設した突片部と、その突片部からキャップ螺嵌中心を中心とする円周方向を向いて折曲された折曲片部とを各々備え、前記掛合部、被掛合部の折曲片部は、各々逆方向に折曲してなり、前記掛合部または被掛合部の一方の折曲片部には、その先端にキャップ組付時に他方の突片部、折曲片部の側面に摺接して逃げる方向に弾性変形させてキャップの組付を阻害せず且つキャップ開封時に前記他方の突片部に交差するように案内させる傾斜ガイド片を有し、前記他方の突片部における折曲片部との境界部に、該傾斜ガイド片が交差して前記一方の折曲片部を掛止する掛止凹部を切欠形成し、内蓋に設けた前記掛合部または前記被掛合部に連なってその内蓋に、キャップ開封時の回転方向と同方向またはその回転方向とほぼ同方向を向く薄肉部で挟まれた帯状部分を始端とする切取用脆弱部を設けていることを特徴とする請求項１記載の液体用容器のキャップ構造。
【請求項３】
前記被掛合部は、内蓋の上面のキャップ螺嵌中心を中心とする同一円周上に複数箇所に下面を開放した内部中空状をもって隆起させると共にその一面を薄肉部とし、前記掛合部は、キャップ内面において前記被掛合部と同一円周上に設けられ先端にキャップ組付時に前記被掛合部の天板部で弾性的に湾曲変形されると共にその組付完了時に被掛合部方向を向く下向き傾斜状の破断用爪片とを備え、前記薄肉部はキャップ開封時の前記破断用爪片で破られる位置に設けられ、また前記破断用爪片はキャップの内面から垂設する垂設片部から延設して形成してなり、前記内蓋に設けた前記被掛合部に連なってその内蓋にキャップ開封時の回転方向と同方向またはその回転方向とほぼ同方向を向く薄肉部で挟まれた帯状部分を始端とする切取用脆弱部を設け、前記垂設片部は破断用爪片の基部に厚肉ガイド部を形成すると共にその厚肉ガイド部に連続して掛止凹部に凹設形成し、該掛止凹部は、キャップ開封時に被掛合部の一面に形成した前記薄肉部を破断して被掛合部内に破断用爪片が進入した後に厚肉ガイド部で案内される被掛合部の天板部を掛止するものであることを特徴とする請求項１記載の液体用容器のキャップ構造。
【請求項４】
前記掛合部、被掛合部をキャップまたは内蓋と一体成形していることを特徴とする請求項１〜３いずれか１項記載の液体用容器のキャップ構造。
【請求項５】
前記切取用脆弱部が、平面視Ｓ字状を呈することを特徴とする請求項１〜４いずれか１項記載の液体用容器のキャップ構造。
【発明の詳細な説明】
【技術分野】
【０００１】
本発明は、液体用容器のキャップ構造、更に詳しくは、キャップを螺嵌によって開封すると同時に内蓋を切り取って注出口を形成することができる便利な液体用容器のキャップ構造に関するものである。
【背景技術】
【０００２】
従来、この種の液体用容器のキャップ構造には、キャップに掛着棒を垂設し、その両先端に引っ掛け爪を上向きにもつ引っ掛け部材を回転可能に設け、キャップを取外す時に引っ掛け部材にプルリングが引っ掛かる構造（Ａ構造）、内蓋から連結片を突設し、該連結片をキャップと連結し、内蓋に環状薄肉部を形成した構造（Ｂ構造）、キャップの中央に係合部を設け、環状薄肉部を有する内蓋部分にその係合部が上方から係脱不能に係止する係止孔を開孔した構造（Ｃ構造）等がある（例えば、特許文献１、特許文献２、特許文献３等参照。）。
【０００３】
しかしながら、前記Ａ構造は図１４に示すように、キャップ１に掛着棒２１を垂設し、その両先端に引っ掛け爪３１ａを上向きにもつ引っ掛け部材３１を回転可能に設け、キャップ１を取外す時に引っ掛け部材３１に内蓋３２から突設したプルリング７が引っ掛けるようにしているが、プルリング７に引っ掛け爪３１ａを引っ掛けるためには引っ掛け爪３１ａをプルリング７の下方に位置させる必要があるが、キャップ１がネジ込み式であるため、引っ掛け爪３１をプルリング７下方に位置させる具体的構造が不明であって実施不能であり、また、キャップ１、内蓋３２、引っ掛け部材３１の３パーツが必要であり、成形コストが高騰する。更に、プルリング７を引き抜くタイプに変わりなく、大きな引き抜きトルクが必要である。
また、前記Ｂ構造は図１５に示すように、内蓋３２から連結片５２を突設し、該連結片５２をキャップ１と連結し、内蓋３２に環状薄肉部６２を形成しているが、内蓋３２から上方に突設する連結片５２を挿入する孔４１をキャップ１の天板部１ａに開孔し、その挿入孔４１への連結片５２挿入後、溶接ヘッドで連結片５２とその挿入孔４１部分を溶接したり、その挿入孔４１部分と連結片５２部分とを挿入孔４１に注入される溶接ゴムや樹脂Ａで結合しているが、キャップ１の天板部１ａに挿入孔４１が開孔されているのでキャップ１としては不衛生であるばかりでなく構造が複雑であり、注出口を開孔する際の回転トルクが環状薄肉部６２に同時に作用する構成のため、開口するのに大きなトルクが必要となる。
更にＣ構造は図１６に示すように、キャップ１の中央に矢印形状の係合部５１を設け、環状薄肉部６２を有する内蓋３２部分にその係合部５１が上方から係脱不能に係止する係止孔７２を開孔しているので、係合部５１を強制的に係止孔７２に係止する際の差込力で環状薄肉部６２を破断する虞れがあり、実用性が乏しい。
【特許文献１】特開２０００−１２８２１７号公報
【特許文献２】実用新案登録第３０４６０８１号公報
【特許文献３】実開昭６２−３４５０号公報
【発明の開示】
【発明が解決しようとする課題】
【０００４】
本発明が上記従来事情に鑑みてなされたものでは、その目的とする処は、キャップ開封時の軽い回転トルクで注出口を開口可能にして、老人、身障者等の力の無い使用者にとって親切な液体用容器のキャップ構造を提供することにある。
他の目的とする処は、構造簡単で廉価な液体用容器のキャップ構造を提供することにある。
【課題を解決するための手段】
【０００５】
前記課題を解決するために講じた技術的手段は、キャップの内面または内蓋にキャップを螺嵌で開封する時に互いに掛合する掛合部、被掛合部のどちらか一方を設けて、その開封時に前記掛合部と被掛合部が複数箇所で相互に掛止してキャップと共に回転しながら上昇する掛止部を構成するようになし、前記内蓋に設けた掛合部または被掛合部に連なってその内蓋に、キャップ開封時の回転方向と同方向またはその回転方向とほぼ同方向を向く薄肉部で挟まれた帯状部分を始端とする切取用脆弱部を設けていることを特徴とする液体用容器のキャップ構造である（請求項１）。
【０００６】
前記手段によれば、回転トルクが作用する切取用脆弱部始端の帯状部分を挟む薄肉部を、キャップ開封時の回転方向と同方向またはその回転方向とほぼ同方向を向いて形成して、キャップ回転初期時の軽い回転トルクで帯状部分を挟む薄肉部を破断し、それを起点にして切取用脆弱部を切取る。
【０００７】
また、請求項１記載において、前記掛合部と被掛合部とは、キャップ内面、内蓋上面のどちらか一方にキャップ螺嵌中心を中心とする半径位置を僅かズラして突設した突片部と、その突片部からキャップ螺嵌中心を中心とする円周方向を向いて折曲された折曲片部とを各々備え、前記掛合部、被掛合部の折曲片部は、各々逆方向に折曲してなり、前記掛合部または被掛合部の一方の折曲片部には、その先端にキャップ組付時に他方の突片部、折曲片部の側面に摺接して逃げる方向に弾性変形させてキャップの組付を阻害せず且つキャップ開封時に前記他方の突片部に交差するように案内させる傾斜ガイド片を有し、前記他方の突片部における折曲片部との境界部に、該傾斜ガイド片が交差して前記一方の折曲片部を掛止する掛止凹部を切欠形成し、内蓋に設けた前記掛合部または前記被掛合部に連なってその内蓋に、キャップ開封時の回転方向と同方向またはその回転方向とほぼ同方向を向く薄肉部で挟まれた帯状部分を始端とする切取用脆弱部を設けていると、好ましいものである（請求項２）。
【０００８】
前記手段によれば、キャップ組付時に逃げる方向に弾性変形させて掛合部と被掛合部とを掛合させずに行き違い状態にするその傾斜ガイド片がキャップ開封時にガイドになって掛合部と被掛合部とを互いに掛かり合わせて、掛合部、被掛合部どちらか一方の突片部に形成されている掛止凹部に他方の折曲片部を落下不能に掛止し、その掛止状態で前記帯状部分を挟む薄肉部を破断させて切取用脆弱部を切取る。
【０００９】
前記請求項１記載において、前記被掛合部は、内蓋の上面のキャップ螺嵌中心を中心とする同一円周上に複数箇所に下面を開放した内部中空状をもって隆起させると共にその一面を薄肉部とし、前記掛合部は、キャップ内面において前記被掛合部と同一円周上に設けられ先端にキャップ組付時に前記被掛合部の天板部で弾性的に湾曲変形されると共にその組付完了時に被掛合部方向を向く下向き傾斜状の破断用爪片とを備え、前記薄肉部はキャップ開封時の前記破断用爪片で破られる位置に設けられ、また前記破断用爪片はキャップの内面から垂設する垂設片部から延設して形成してなり、前記内蓋に設けた前記被掛合部に連なってその内蓋にキャップ開封時の回転方向と同方向またはその回転方向とほぼ同方向を向く薄肉部で挟まれた帯状部分を始端とする切取用脆弱部を設け、前記垂設片部は破断用爪片の基部に厚肉ガイド部を形成すると共にその厚肉ガイド部に連続して掛止凹部に凹設形成し、該掛止凹部は、キャップ開封時に被掛合部の一面に形成した前記薄肉部を破断して被掛合部内に破断用爪片が進入した後に厚肉ガイド部で案内される被掛合部の天板部を掛止するものであると、好ましいものである（請求項３）。
【００１０】
前記手段によれば、内蓋に形成されている被掛合部の天板部で弾性的に湾曲形成されキャップの組付を阻害しない破断用爪片が、キャップ開封時に被掛合部の薄肉部を破断して内部中空状のその被掛合部内に進入し継続するキャップの回転で被掛合部の天板部を厚肉ガイド部が掛止凹部に掛止するように案内し、掛止凹部への同天板部の掛止状態で請求項２と同じく前記帯状部分を挟む薄肉部を破断させて切取用脆弱部を切取る。
【００１１】
また、前記掛合部、被掛合部をキャップまたは内蓋と一体成形したり（請求項４）、切取用脆弱部を、平面視Ｓ字状を形成する場合も望ましいものである（請求項５）。
【発明の効果】
【００１２】
本発明は以上のようにキャップの螺嵌で開封する時に互いに掛合部、被掛合部が掛合して構成される掛止部の回転方向と同方向またはその回転方向とほぼ同方向を向く薄肉部で挟まれた帯状部分を始端とする切取用脆弱部を形成して、キャップ回転初期時の軽い回転トルクで切取用脆弱部の始端を破断して、続行されるキャップの回転で切取用脆弱部の切取へと導くようにしているので、回転初期時に例えば、プルリングを引き抜いたり、回転トルクが環状薄肉部に同時に集中する構成のように、大きな回転トルクを必要とせず、老人や身障者等のように力のない使用者であっても開封すると同時に注出口を開口することができる。
しかも、請求項２や請求項３のように構成してあると、キャップの内面に、切り取られた薄肉脆弱部を落下しないように保持でき、切取後のその脆弱部の排除動作が不必要で手指を汚さない。
また、請求項４にあっては、内蓋を有する部材と、その部材に螺嵌されるキャップとの２パーツで構成されるため、構造簡単で安価に提供することができる。
【発明を実施するための最良の形態】
【００１３】
以下、本発明液体用容器のキャップ構造の実施形態数例を説明する。
【実施例１】
【００１４】
図１〜図７は本発明液体用容器のキャップ構造の第１の実施の形態を示し、符号１は、キャップ、２は蓋栓である。
【００１５】
蓋栓２は、図１に示すように、ポリプロピレン、ポリエチレン等から成形され、容器口部内側に配置される螺嵌筒１２から容器口部外側に掛止させる装着筒２２を設け、前記螺嵌筒１２内を内蓋３２で閉塞した周知の基本的態様になっている。
【００１６】
螺嵌筒２２の外周面には、同じくポリプロピレン、ポリエチレン等から成形されたキャップが螺嵌される雄螺条２２１が螺刻されている。
【００１７】
前記キャップ１は、図１等に示すように、その内側周面に雌螺条１’を螺刻し、また、その内面（天面）または内蓋３２上面には、キャップ１を螺嵌で開封する際に互いに掛止する掛合部３、被掛合部４のどちらか一方が設けられている。
【００１８】
この実施の形態では掛合部３をキャップ１に、被掛合部４を内蓋３２に設けた場合を説明する。
掛合部３は、図１〜図６等に示すように、キャップ１におけるインナーリング１１内側位置においてキャップ１の螺嵌中心を挟む所定の円周上に対称位置各々に一体に下向きに各々突片部１３を突設し、各々の突片部１３の先端に組付時のキャップ螺嵌方向とは逆方向に折曲片部（水平折曲片部）２３を一体に折曲し、該折曲片部２３の先端に湾曲状をもって傾斜ガイド片３３を内側に折曲形成して、形成されている。
【００１９】
一方、被掛合部４は、図１〜図６等に示すように、前記する掛合部３よりも僅かに短い半径上の内蓋３２上面のキャップ螺嵌中心を挟む対称位置に一体に突片部１４を各々上向きに突設し、各々の突片部１４先端に掛合部３の折曲片部２３とは逆方向、即ちキャップ螺嵌方向に折曲片部（水平折曲片部）２４を折曲形成し、各々の突片部１４の上端位置に前記掛合部３の折曲片部２３が掛止する掛止凹部３４を切欠して、形成されている。
【００２０】
前記掛合部３と被掛合部４とは、キャップ１の組付完了時に掛合部３の前記傾斜ガイド片３３が、被掛合部４の前記掛止凹部３４と同一高さ位置で且つ被掛合部４の少なくとも突片部１４を通り過ぎる位置に配置されるようにキャップ組付完了時のネジ込み具合及び突片部１３、１４の突設高さを設定している。
【００２１】
また、前記内蓋３２には、注出口を閉塞する切取用脆弱部５が形成されている。
【００２２】
前記切取用脆弱部５は、図１、図２、図４等に示すように、キャップ開封時のキャップ１の回転方向と同方向もしくはその回転方向とほぼ同方向を向く薄肉部１５１、１５１で挟まれ円弧状の帯状部分１５を始端に有する平面視形状に形成され、本実施の形態では平面視Ｓ字状にしてある。
【００２３】
そして、前記円弧状の帯状部分１５から前記被掛合部４を一体に突設させてある。
【００２４】
以上のように構成されているこの実施の形態の液体用容器のキャップ構造は、キャップ１を螺嵌する組付時には、図２、図３に示すように、前記掛合部３の折曲片部２３先端の傾斜ガイド片３３が被掛合部４の折曲片部２４や突片部１４の外側面で摺接して逃げる方向に掛合部３自体を弾性変形させてキャップ組付を妨害しない。そして、組付完了時には掛合部３の折曲片部２３の傾斜ガイド片３３は、被掛合部４における突片部１４の途中高さ位置に接近する。
そして、液体用容器を購入し、例えばピルファー・プルーフ機能（図示せず）を解除して使用に際して開封する時には、図４、図５に示すように、前記掛合部３の傾斜ガイド片３３が被掛合部４における突片部１４に交差し折曲片部２３を突片部１４の内側に案内して掛止凹部３４にその折曲片部２３を掛止させて掛止部６を構成すると共に折曲片部２３、２４同士も掛止して、図６に示すように、開封初期時の軽い回転トルクで円弧状の帯状部分１５を挟む薄肉部１５１、１５１を切取用脆弱部１５の始端から破断させ、続行するキャップ１の回転でその切取用脆弱部５を切り取っていく（図７）。
切取用脆弱部５の切取に際して、最もトルク（力）を要するのは、切取用脆弱部５の切取始端である。この実施の形態では、回転初期力が作用する切取用脆弱部５の切取始端の帯状部分１５を、キャップ開封時の回転方向と同方向またはその回転方向とほぼ同方向を向いて形成しているため、非常に軽い力で切取用脆弱部５の始端を切取ることができる。尚、切取用脆弱部５をＳ字状にしている結果、キャップ開封時の回転トルクで中間部の薄肉部が切取られない虞れがある。その時には、キャップ１を外す際の螺嵌解除後の上方向への引き抜きでその部分を簡単に切取れば良いものである。
そして、切取られた切取用脆弱部５は掛止凹部３４への折曲片部２３の掛止を継続して落下不能に保持される。
【実施例２】
【００２５】
次に、図８〜図１３は本発明液体用容器のキャップ構造の第２の実施の形態を示し、符号１はキャップ、２は蓋栓である。
【００２６】
蓋栓２とキャップ１の基本的構成は同一であるため、同一符号を付して説明を省略する。
【００２７】
被掛合部４は、図８に示すように内蓋３２の上面のキャップ１の螺嵌中心を挟む対称位置の所定円周上に下面を開放した内部中空状をもって膨出形成されている。
【００２８】
他方、掛合部３は、同図８に示すようにキャップ１において被掛合部４と同一円周上に先端に破断用爪片５３を有する垂設片部４３を垂設して、形成されている。
【００２９】
前記掛合部３は、キャップ１の螺嵌での組付時に被掛合部４の天板部４４で弾性変形される前記破断用爪片５３を垂設片部４３から突設し、該破断用爪片５３は、キャップ組付完了時に被掛合部４の一面と同等高さをもって配置されるようにキャップ組付完了時のネジ込み具合及び垂設片部４３の高さ等を設定している。
【００３０】
また、被掛合部４は、図８、図９等に示すように、キャップ組付完了時の破断用爪片５３と相対する一面を薄肉部（薄肉面部）５４で形成すると共にその一面と対向する他一面をも薄肉部（薄肉面部）６４で形成している。
【００３１】
そして、垂設片部４３は図９等に示すように下端部に厚肉ガイド部６３を有し、破断用爪片５３はその厚肉ガイド部６３からキャップ組付完了時に前記被掛合部４の薄肉部（薄肉面部）５４方向に傾斜状をもって一体に成形し、更に前記厚肉ガイド部６３を構成壁部として被掛合部４における天板部４４厚と同等幅寸法の掛止凹部７３を凹設形成している。
【００３２】
また、前記内蓋３２には、注出口を閉塞する切取用脆弱部５が形成されている。
【００３３】
切取用脆弱部５は、図８で示すように前記する実施の形態と同様にキャップ開封時のキャップ１の回転方向と同方向もしくはその回転方向とほぼ同方向を向く薄肉部１５１、１５１で挟まれ円弧状の帯状部分１５を始端に有する平面視形状に形成され、本実施の形態でも平面視Ｓ字状になっている。
そして、前記円弧状の帯状部分１５に前記実施の形態と同様に前記被掛合部４が一体に膨出形成させてある。
【００３４】
以上のように構成されているこの実施の形態の液体用容器のキャップ構造は、キャップ１を螺嵌する組付時には、掛合部３の破断用爪片５３が、図９に示すように被掛合部４の天板部４４で弾性的に湾曲変形してキャップ１の組付を妨害しない。
そして、前記実施の形態と同様に液体用容器を購入し、例えばピルファー・プルーフ機能（図示せず）を解除して使用に際して開封する時には、図１１に示すようにキャップ開封時に破断用爪片５３が被掛合部４の薄肉部（薄肉面部）５４を破って内部中空状の被掛合部４内に進入し、図１２及び図１３に示すように継続するキャップ１の回転で被掛合部４の天板部４４を厚肉ガイド部６３に掛止凹部７３が掛止するように案内して、その掛止状態を維持して帯状部分を挟む薄肉部１５１、１５１を破断し、切取用脆弱部５の切取りに導く。
詳細には、破断用爪片５３が薄肉部（薄肉面部）５４に破って内部中空状の被掛合部４内に進入した後、厚肉ガイド部６３が天板部４４に掛合して回転トルクを与えることによって切取用脆弱部５の始端の帯状部分１５を切り取りながら、被掛合部４自体を持ち上げつつ厚肉ガイド部６３でその天板部４４をガイドして掛止凹部７３に掛止させ、その掛止状態を維持したまま継続する開封初期時の軽い回転トルクで切取用脆弱部５の始端である円弧状の帯状部分１５全体を破断し、続いて行なわれるキャップ１の回転でその切取用脆弱部５を切取る。尚、薄肉部（薄肉面部）５４を破った破断用爪片５は、連続して薄肉部（薄肉面部）64を破るため、前記天板部４４の掛止凹部７３への案内の邪魔になることはない。
そして、切取られた切取用脆弱部５は掛合部３の掛止凹部７３への天板部４４の掛止で落下不能に保持される。
尚、切取用脆弱部５をＳ字状にしている結果、前記する実施の形態と同様にキャップ開封時の回転トルクで中間部の薄肉部が破断されない虞れがある。その時には、キャップ１を外す際の螺嵌解除後の上方向への引き抜き力でその部分を簡単に破断すれば良いものである。
【００３５】
また、前記被掛合部４は、内部空間が広く破断用爪片５が干渉するものであれば、前記前記薄肉部（薄肉面部）６４を厚肉にすること自由なものである。
そして、厚肉にした場合には、一面の端部に連続する側面２面を薄肉部（薄肉面部）で構成しても良いものである。このようにすると側面２面が弾性変形したり、同側面２面が厚肉ガイド部６３による天板部４４の持ち上げ力で破断されて、天板部４４を掛止凹部７３に案内することができる。
また、前記する両実施の形態においては、切取用脆弱部５を平面視Ｓ字状のものについて説明したが、キャップ開封時の回転方向と同方向またはその回転方向とほぼ同方向を向く薄肉部で挟まれた帯状部分を始端として有する切取用脆弱部であれば、実施の形態に特に平面視形態に限定されるものではない。
【図面の簡単な説明】
【００３６】
【図１】第１の実施の形態の液体用容器のキャップ構造を構成する蓋栓とキャップとの分解斜視図。
【図２】同キャップ構造の拡大横断平面図で、キャップ組付時を示す。
【図３】図２のキャップ組付時において、傾斜ガイド片が被掛合部の突片部、折曲片部の側面に摺接して掛合部を逃げる方向に弾性変形させている状態を示す斜視図で拡大して示す。
【図４】同キャップ構造の拡大横断面図で、キャップ開封状態を示す。
【図５】図４のキャップ開封時において、傾斜ガイド片が被掛合部の突片部に交差するように案内されて掛合部の折曲片部が掛止凹部に掛止している状態を示す斜視図で拡大して示す。
【図６】切取用脆弱部を切取っている状態を部分的に示す正面断面図。
【図７】開口された注出口を示す横断平面図。
【図８】第２の実施の形態の液体用容器のキャップ構造の横断平面図。
【図９】キャップ組付状態を示す拡大断面図。
【図１０】キャップ開封開始状態を示す拡大断面図。
【図１１】同キャップ開封状態で破断用爪片が被掛合部の薄肉部を破っている状態を示す拡大断面図。
【図１２】同キャップ開封状態で、掛止凹部に被掛合部の天板部が掛止して切取用脆弱部の始端を切り取っている状態を示す拡大断面図。
【図１３】同同キャップ開封状態で、掛止凹部に被掛合部の天板部が掛止して切取用脆弱部を切り取っている状態を示す拡大断面図。
【図１４】従来のキャップ構造の断面図。
【図１５】更に他の従来のキャップ構造の断面図。
【図１６】従来の他のキャップ構造の断面図。
【符号の説明】
【００３７】
１：キャップ                      ３：掛合部
４：被掛合部                    ６：掛止部
１５：帯状部分                    ５：切取用脆弱部
１３、１４：突片部              ２３、２４：折曲片部
３３：傾斜ガイド片              ３２：内蓋
５３：破断用爪片                ４３：垂設片部
３４、７３：掛止凹部                  ６３：厚肉ガイド部
【図１】
2005059933.tif 000003
【図２】
2005059933.tif 000004
【図３】
2005059933.tif 000005
【図４】
2005059933.tif 000006
【図５】
2005059933.tif 000007
【図６】
2005059933.tif 000008
【図７】
2005059933.tif 000009
【図８】
2005059933.tif 000010
【図９】
2005059933.tif 000011
【図１０】
2005059933.tif 000012
【図１１】
2005059933.tif 000013
【図１２】
2005059933.tif 000014
【図１３】
2005059933.tif 000015
【図１４】
2005059933.tif 000016
【図１５】
2005059933.tif 000017
【図１６】
2005059933.tif 000018